(57)【要約】蓋機能を有し、構成が簡単であり、組み立てが容易であり、利便性の高い紙製容器を提供する。紙製容器は、底部１と、胴部２と、罫線３０に沿って内側に折り込まれて形成される右フラップ１１および左フラップ１２と、左右のフラップ１１，１２の一端側にて、罫線２１に沿って外側に折り込まれて形成される襟部１３と、左右のフラップ１１，１２の他端側にて、罫線２２に沿って内側に折り込まれて形成される差込フラップ１４と、を備える。左右のフラップ１１，１２が重なって、胴部２が形成する開口３を覆う。左右のフラップ１１，１２は差込フラップ側にスリット２６を有する。差込フラップ１４はスリット２６に差し込まれ、左右のフラップ１１，１２の重なり状態を維持する。胴部２と左右のフラップ１１，１２との間には、左右のフラップ側の第１円弧状罫線３１と、胴部側の第２円弧状罫線３２と、が併設されている。【選択図】図１
2020179350.tif 000002
【特許請求の範囲】
【請求項１】
底部と、
前記底部から立設される胴部と、
前記胴部上部から罫線に沿って内側に折り込まれて形成される右フラップおよび左フラップと、
前記左右のフラップの一端側にて、前記胴部上部から罫線に沿って外側に折り込まれて形成される襟部と、
前記左右のフラップの他端側にて、前記胴部上部から罫線に沿って内側に折り込まれて形成される差込フラップと、
を備え、
前記右フラップと左フラップとが重なって、前記胴部が形成する開口を覆い、
前記右フラップおよび左フラップとは差込フラップ側にスリットを有し、
前記差込フラップは前記スリットに差し込まれ、前記左右のフラップの重なり状態を維持し、
前記胴部と前記左右のフラップとの間には、
前記左右のフラップ側の第１円弧状罫線と、
前記胴部側の第２円弧状罫線と、
が併設されている
ことを特徴とする紙製容器。
【請求項２】
前記第２円弧状罫線は、前記差込フラップの罫線の端部近傍に設けられる仮想回転中心に対し、前記第１円弧状罫線を３〜７度回転させる位置にある
ことを特徴とする請求項１記載の紙製容器。
【請求項３】
前記襟部には、
前記第１円弧状罫線に対応する罫線と、
前記第２円弧状罫線に対応する罫線と、
が設けられている
ことを特徴とする請求項１または２記載の紙製容器。
【請求項４】
ブランク状態にて、前記左右のフラップ、襟部、差込フラップの外縁が、円弧上に形成されている
ことを特徴とする請求項１〜３いずれか記載の紙製容器。
【請求項５】
前記スリットは、前記差込フラップの厚み以上の幅を有する
ことを特徴とする請求項１〜４いずれか記載の紙製容器。
【請求項６】
前記差込フラップと前記左右のフラップとの間には、切り欠けが設けられている
ことを特徴とする請求項１〜５いずれか記載の紙製容器。
【請求項７】
前記胴部は、前記差込フラップ側に接合部を有する
ことを特徴とする請求項１〜６いずれか記載の紙製容器。
【請求項８】
前記第１円弧状罫線にて折り込み、広い飲み口を形成するか
または
前記第２円弧状罫線にて折り込み、狭い飲み口を形成するか
を選択する
ことを特徴とする請求項１記載の紙製容器の使用方法。
【発明の詳細な説明】
【技術分野】
【０００１】
本発明は、蓋機能のある紙製容器に関する。
【背景技術】
【０００２】
プラスチック製品の一部は適切に処理しきれずに、海洋汚染の遠因となっている。近年、環境問題に配慮し、大手飲食店を中心に、プラスチック製ストローを廃止する動きが広がっている。【０００３】
飲料用容器には、紙製容器とプラスチック製容器がある。上記配慮により、紙製容器を用いることも多い。しかしながら、紙製容器（本体）を用いても容器の蓋はプラスチック製であることが多い。【０００４】
そこで、各容器メーカーは、蓋機能のある紙製容器を提案している（例えば特許文献１〜３）。これらの容器は、胴部上辺に複数のフラップを連設し、フラップ同士を重ねて、胴部上部の開口を覆い、簡易な蓋としている。全て紙製であるため、廃棄が容易である。しかしながら、フラップに係る構成が些か複雑であり、その結果、組み立ても容易でない。【０００５】
ところで、飲料用容器の中間製品は工場で製造するものの、飲料を入れた後、飲食店の店員が蓋をするため、組み立て容易であることが好ましい。【０００６】
上記紙製容器に対し、本願出願人は、蓋機能があり、組み立て容易な紙製容器を試作している（特許文献４）（比較例）。なお、特許文献４は意匠出願公報であり、物品の外観に係る説明はあるものの、技術的内容は殆んど開示されていない。
【先行技術文献】
【特許文献】
【０００７】
【特許文献１】特許第４８５３６０３号公報
【特許文献２】特許第５２８２９４２号公報
【特許文献３】特許第６１５１７７２号公報
【特許文献４】意匠登録第１５５９０９７号公報
【発明の概要】
【発明が解決しようとする課題】
【０００８】
図９は、比較例に係る紙製容器１００の概略構成を示す図である。【０００９】
紙製容器１００は、底部１と、底部１から立設される胴部２と、胴部２上辺に連設される右フラップ１１１、左フラップ１１２、襟部１１３、差込フラップ１１４とを備える。【００１０】
右フラップ１１１および左フラップ１１２は、胴部２との境界である円弧状罫線１３０沿って内側に折り込まれて形成される。左右のフラップ１１１，１１２は差込フラップ側にスリット１２６を有する。【００１１】
襟部１１３は、左右のフラップ１１１，１１２の一端側にて、胴部２上部から罫線に沿って外側に折り込まれて形成される。【００１２】
差込フラップ１１４は、左右のフラップ１１１，１１２の他端側にて、胴部２上部から罫線に沿って内側に折り込まれて形成される。【００１３】
まず、襟部１１３を外側に折り、右フラップ１１１と左フラップ１１２とを重ね、胴部２が形成する開口３を覆う。【００１４】
さらに、スリット１２６に差込フラップ１１４を差し込む。これにより、左右のフラップ１１１，１１２のフラップの重なり状態が維持される。【００１５】
一方、襟部１１３において飲み口１１６が形成される。このとき、消費者の唇に当たる箇所では、鋭利な紙端面が露出しない。そのため、消費者は不快な思いをすることがない。【００１６】
このように、比較例に係る紙製容器１００は、蓋機能を有し、構成が簡単であり、組み立てが容易である。【００１７】
本発明は、比較例の特徴を維持しつつ、比較例に改良を加えることにより、利便性を高めることを目的とする。
【課題を解決するための手段】
【００１８】
上記の目的を達成するために、本発明の紙製容器は、底部と、前記底部から立設される胴部と、前記胴部上部から罫線に沿って内側に折り込まれて形成される右フラップおよび左フラップと、前記左右のフラップの一端側にて、前記胴部上部から罫線に沿って外側に折り込まれて形成される襟部と、前記左右のフラップの他端側にて、前記胴部上部から罫線に沿って内側に折り込まれて形成される差込フラップと、を備える。前記右フラップと左フラップとが重なって、前記胴部が形成する開口を覆う。前記右フラップおよび左フラップとは差込フラップ側にスリットを有する。前記差込フラップは前記スリットに差し込まれ、前記左右のフラップの重なり状態を維持する。前記胴部と前記左右のフラップとの間には、前記左右のフラップ側の第１円弧状罫線と、前記胴部側の第２円弧状罫線と、が併設されている。【００１９】
左右のフラップを第１円弧状罫線にて折り込むことにより、広い飲み口が形成される。左右のフラップを第２円弧状罫線にて折り込むことにより、狭い飲み口が形成される。飲み口の幅を適宜選択することにより、利便性が向上する。【００２０】
さらに好ましくは、前記第２円弧状罫線は、前記差込フラップの罫線の端部近傍に設けられる仮想回転中心に対し、前記第１円弧状罫線を３〜７度回転させる位置にある。【００２１】
これにより、飲み口の幅を調整する際の、差込フラップ側への影響を軽減できる。つまり、形状を多少変形しても、全体への影響は軽微である。【００２２】
さらに好ましくは、前記襟部には、前記第１円弧状罫線に対応する罫線と、前記第２円弧状罫線に対応する罫線と、が設けられている。【００２３】
これにより、襟部に飲み口が形成される。飲み口の幅を選択できる。【００２４】
さらに好ましくは、ブランク状態にて、前記左右のフラップ、襟部、差込フラップの外縁が、円弧上に形成されている。【００２５】
すなわち、ブランク概形は扇状であり、一般的な胴部ブランクと実質的に同じである。既存の装置や既存の製法を転用できる。【００２６】
さらに好ましくは、前記スリットは、前記差込フラップの厚み以上の幅を有する。【００２７】
これにより、差し込みやすく、抜けにくい差込構造とすることができる。【００２８】
さらに好ましくは、前記差込フラップと前記左右のフラップとの間には、切り欠けが設けられている。【００２９】
これにより、差し込みやすく、抜けにくい差込構造とすることができる。【００３０】
さらに好ましくは、前記胴部は、前記差込フラップ側に接合部を有する。【００３１】
これにより、容器把持に伴う容器変形を抑制する。【００３２】
上記の目的を達成するために、本発明の紙製容器の使用方法では、前記第１円弧状罫線にて折り込み、広い飲み口を形成するか、または、前記第２円弧状罫線にて折り込み、狭い飲み口を形成するかを選択する。
【発明の効果】
【００３３】
本発明によれば、蓋機能があり、構成が簡単であり、組み立てが容易である。【００３４】
本発明によれば、広い飲み口か狭い飲み口かを選択できる。狭い飲み口を選択すれば、熱い飲料等を少しずつ飲むことができる。また、蓋機能（閉塞性）も向上する。広い飲み口を選択すれば、冷たい飲み物等を一気に飲むことができる。当該選択は、店員または消費者により容易になされる。これにより利便性が向上する。
【図面の簡単な説明】
【００３５】
【図１】本実施形態に係る紙製容器の概略構成
【図２】胴部等ブランク展開
【図３】フラップ折込動作説明
【図４】円弧状罫線  詳細構成
【図５】使用時基本動作説明
【図６】使用時  変形例
【図７】円弧状罫線  変形例
【図８】円弧状罫線  変形例
【図９】比較例に係る紙製容器の概略構成
【図１０】比較例と本実施形態との細部構成比較
【図１１】胴部接合部の効果説明
【図１２】胴部接合部  変形例
【図１３】ブランク配列例
【発明を実施するための形態】
【００３６】
〜基本形状〜
本実施形態の構成について説明する。図１は、本実施形態に係る紙製容器１０の概略構成図である。図１Ａは、斜め後ろ側からみた斜視図であり、図１Ｂは、斜め前側からみた斜視図である。
【００３７】
紙製容器１０は、底部１と、底部１から逆錐台状に立設される胴部２と、胴部２上辺に連設される右フラップ１１、左フラップ１２、襟部１３、差込フラップ１４とを備える。
【００３８】
図示の例では底部１は円形であるが、角を面取した四角形でも良い。また、多角形でも良い。
【００３９】
右フラップ１１と左フラップ１２とが重なって胴部２が形成する開口３を覆い、蓋として機能する。
【００４０】
左右のフラップ１１，１２は差込フラップ側にスリット２６を有する。差込フラップ１４はスリット２６に差し込まれ、左右のフラップ１１，１２の重なり状態を維持する。
【００４１】
一方、襟部１３において飲み口１６が形成されている。
【００４２】
〜組み立て〜
図２は胴部等のブランク展開図である。図３は、フラップ折込動作（折込方向）を説明する図である。
【００４３】
胴部２およびフラップ１１〜１４は、一枚の扇状ブランクに形成されている。フラップ１１〜１４は、胴部２の扇状上辺から延設されている。図示の例では、ブランク状にて、右から、差込フラップ１４の半分、左フラップ１２、襟部１３、右フラップ１１、差込フラップ１４の半分の順に配置されている。フラップ１１〜１４の外縁は、扇状の外周と一致し、同一の円弧上に形成される。
【００４４】
フラット形状を丸めて、端部同士を重ねて接合し、逆錐台状とし、胴部２を形成する。底部１は別途形成され、胴部２形成後、胴部下部に接合される。襟部１３は左右のフラップ１１，１２の一端側に形成され、差込フラップ１４は左右のフラップ１１，１２の他端側に形成される。
【００４５】
まず、襟部１３を胴部２上部から罫線２１に沿って外側に折り込む。ついで、右フラップ１１および左フラップ１２を、円弧状罫線３０に沿って内側に折り込む（詳細後述）。これにより、右フラップ１１と左フラップ１２とが重なり、胴部２が形成する開口３を覆う。その際、左右のフラップ１１，１２の差込フラップ側にはスリット２６が形成される。
【００４６】
さらに、差込フラップ１４を胴部２上部から罫線２２に沿って内側に折り込み、スリット２６に差込フラップ１４を差し込む。これにより、左右のフラップ１１，１２の重なり状態が維持される。
【００４７】
一方、左右のフラップ１１，１２の折込に伴い、襟部１３もコの字状に折り込まれ、飲み口１６が形成される。このとき、消費者の唇に当たる箇所は罫線２１であり、鋭利な紙端面が露出しない。そのため、消費者は不快な思いをすることがない。
【００４８】
このように、本実施形態に係る紙製容器１０は構成が簡単であり、組み立てが容易である。
【００４９】
〜特徴的構成１〜
図４は、円弧状罫線３０の詳細構成図である。
【００５０】
円弧状罫線３０は、左右のフラップ側（図示上側）の第１円弧状罫線３１と、胴部側（図示下側）の第２円弧状罫線３２と、が併設されて、形成される。
【００５１】
差込フラップ１４の罫線２２の端部近傍、具体的には、差込フラップ１４の罫線２２の延長線と、第１円弧状罫線３１の延長線との交わる箇所に仮想回転中心点３５を設ける。
【００５２】
第２円弧状罫線３２は、仮想回転中心３５に対し、第１円弧状罫線を３〜７度（例えば５度）回転させた位置にある。すなわち、第１円弧状罫線３１と第２円弧状罫線３２との差込フラップ側の起点は共通である。
【００５３】
襟部１３には、第１円弧状罫線３１に対応する罫線３６と、第２円弧状罫線３２に対応する罫線３７とが、ブランク状態にて放射状に形成されている。なお、襟部１３が折り返されると、第１円弧状罫線３１と罫線３６とは一致し、第２円弧状罫線３２と罫線３７とは一致する。
【００５４】
〜使用方法〜
図５は、使用時の基本動作を説明する図である。上記特徴的構成により、飲み口１６の幅を選択できる。
【００５５】
第１円弧状罫線３１および対応する罫線３６にて折り込むことにより、広い飲み口が形成される。
【００５６】
第２円弧状罫線３２および罫対応する線３７にて折り込むことにより、狭い飲み口が形成される。さらに、左右のフラップ１１，１２の重なりラップ幅が増え、蓋機能（閉塞性）も向上する。
【００５７】
このとき、第１円弧状罫線３１と第２円弧状罫線３２との差込フラップ側の起点は共通であるため、差込フラップ１４側への影響は少ない（詳細後述）。
【００５８】
本実施形態に係る紙製容器１０は構成が簡単であり、当該選択は店員または消費者により容易になされる。
【００５９】
例えば、飲食店店員が消費者に飲料の入った紙製容器を渡す時には、狭い飲み口を選択する。これにより、蓋機能が向上する。消費者は、飲料の入った紙製容器を店外に持ち出すこともできる。
【００６０】
消費者は、好みに応じて、飲み口１６の幅を選択できる。例えば、狭い飲み口を選択すれば、熱い飲料等を少しずつ飲むことができる。また、子供や老人のように少しずつ飲む方が好ましい場合もある。広い飲み口を選択すれば、冷たい飲み物等を一気に飲むことができる。また、若者や運動直後など一気に飲む方が好ましい場合もある。
【００６１】
図６は、使用方法の変形例である。図５では、最も広い飲み口の例と最も狭い飲み口の例を示した。本実施形態はこれに限定されず、任意の幅に調整可能である。
【００６２】
第１円弧状罫線３１、罫線３６および第２円弧状罫線３２、罫線３７の両方を折ることにより、第１円弧状罫線３１と第２円弧状罫線３２との間に連結面１７が形成される。罫線の折り具合、結果的には、連結面１７の傾斜により、飲み口１６の幅を調整できる。
【００６３】
連結面１７が鉛直に近づけば、最も広い飲み口の例に近くなる。連結面１７が水平に近づけば、最も狭い飲み口の例に近くなる。
【００６４】
〜円弧状罫線変形例〜
図７は円弧状罫線の変形例である。上記実施形態では、第１円弧状罫線３１と第２円弧状罫線３２との２本の円弧状罫線が併設されている。これに限定されず、３本の円弧状罫線が併設されていてもよい。
【００６５】
変形例において、第３円弧状罫線３３は、仮想回転中心３５に対し、第１円弧状罫線を例えば１０度回転させた位置にある。襟部１３には、第３円弧状罫線３３に対応する罫線３８が、放射状に形成されている。
【００６６】
第３円弧状罫線３３および対応する罫線３８にて折り込むことにより、閉じた飲み口が形成される。これにより、蓋機能がさらに向上する。
【００６７】
図８は円弧状罫線の別の変形例である。第２円弧状罫線３２および対応する罫線３７に代えて、第３円弧状罫線３３および対応する罫線３８を設ける。連結面１７の傾斜により、飲み口１６の幅を調整する。
【００６８】
〜特徴的構成１まとめ〜
図９は、比較例に係る紙製容器１００の概略構成である（詳細前述）。図９Ａは、斜め後ろ側からみた斜視図であり、図９Ｂは、斜め前側からみた斜視図である。
【００６９】
本願実施形態は、紙の柔軟性に着目し、比較例の紙製容器１００に特徴的構成１（円弧状罫線３１，３２併設）を付加するものである。その結果、比較例と比較して、飲み口幅調整や蓋機能向上などの効果が得られる。状況に応じて容易に選択、調整でき、利便性が向上する。
【００７０】
また、本願実施形態は、比較例と同様に、構成が簡単であり、組み立てが容易である。
【００７１】
〜特徴的構成２〜
本願実施形態において、さらに比較例に付加する特徴的構成２と、その効果について、比較例と対比しながら説明する。
【００７２】
図１０上段は、ブランク要部の対比（Ａ：比較例，Ｂ：本実施形態）である。図１０下段は、差込構造の対比である。
【００７３】
まず、スリット幅の有無について説明する。
【００７４】
比較例では、左右のフラップ１１１，１１２に形成されたスリット１２６は幅を有さない。すなわち、線状に切断されているのみである。
【００７５】
これに対し、本実施形態では、左右のフラップ１１，１２に形成されたスリット２６は差込フラップ１４の厚み以上の幅（たとえば１〜３ｍｍ）を有する。
【００７６】
比較例では、紙の柔軟性を利用してスリット１２６周辺を変形させて隙間を形成し、差込フラップ１１４を差し込む。この差込構造であれば、線状スリットでも問題ない。
【００７７】
ところで、本実施形態では、第２円弧状罫線３２および罫対応する線３７にて折り込むことにより、左右のフラップ１１，１２の重なりラップ幅が増える。このとき、第１円弧状罫線３１と第２円弧状罫線３２との差込フラップ側の起点は共通であるため、差込フラップ１４側への影響は少ない。ただし、左右のフラップ１１，１２が微小回転するに伴い、直線状のスリット２６がややＬ字状に変形する。
【００７８】
このとき、スリット２６に幅がないと差込フラップ１４を差し込みにくくなる。本実施形態では、スリット２６に幅を持たせることにより、遊びをつくり、スリット２６がL字状に変形しても差込フラップ１４を差込みやすくしている。
【００７９】
次いで、切り欠けの有無について説明する。
【００８０】
比較例では、左右のフラップ１１１，１１２と差込フラップ１１４が連結部１２７を介して連結している。連結部１２７は、左右のフラップ１１１，１１２の端辺、差込フラップ１１４の端辺、ブランク外縁により、三角形状を形成する。
【００８１】
これに対し、本実施形態では、左右のフラップ１１、１２と差込フラップ１４との間には、切り欠け２７が設けられている。
【００８２】
比較例では、紙の弾性を利用して、連結部１２７がバネとして機能する。線状スリット１２６に差込フラップ１１４が差し込まれると、バネによる押圧により、差込フラップ１１４が確実に左右のフラップ１１１、１１２に係合する。
【００８３】
これに対し、本実施形態では、スリット２６は幅（遊び）を有する。そのため、連結部によるバネが強すぎると、差込フラップ１４が抜けやすくなる。本実施形態では、切り欠け２７を設けることにより、バネの力を抑制している。また、線状スリット１２６に比べてスリット２６位置を差込フラップ側に配置して、差込フラップ１４の差込長（たとえば、差込フラップ１４長さの１／４）を十分に確保している。これにより、バネの力に頼らずとも、抜けにくくなる。
【００８４】
比較例では、バネの力が強すぎ、差込フラップ１１４を線状スリット１２６に差し込むのに、力を要した。これに対し、本実施形態では、バネの力が抑制されており、差込フラップ１４をスリット２６に容易に差し込むことができる。
【００８５】
以上のように、比較例に比べ、差し込みやすく、抜けにくい差込構造になっている。なお、飲み口幅を調整しても、当該効果は変わらない。
【００８６】
〜特徴的構成３〜
本実施形態では、差込フラップ側に胴部２の接合部２８を有する。図１１は、胴部接合部２８の効果を説明する図である。
【００８７】
図示奥側に飲み口１６が形成されている。消費者が飲料を飲むため、紙製容器１０を把持するとき、親指は襟部１３近傍に位置する。襟部１３は折返しにより形成されており、他の部分に比べて高剛性である。
【００８８】
一方、親指以外の四指は胴部接合部２８に沿って位置する。胴部接合部２８も他の部分に比べて高剛性である。
【００８９】
ところで、容器の剛性が乏しい場合、容易把持の際、容器が大きく変形し、中味の飲料が飛び出るおそれもある。
【００９０】
本実施形態では、上記高剛性箇所により、把持による容器変形を抑制できる。
【００９１】
なお、容器剛性が充分な場合は、上記限定は不要である。図１２は、変形例に係る胴部等のブランク展開図である。変形例では、右フラップ側に胴部２の接合部２８を有する。
【００９２】
〜特徴的構成４〜
図２に戻り、ブランクについて説明する。本実施形態では、胴部２およびフラップ１１〜１４は、一枚の扇状ブランクより形成されている。すなわち、一般的な胴部ブランクと実質的に同様である。したがって、既存の装置や既存の製法を転用できる。
【００９３】
図１３は、扇状ブランクの配置例である。一枚の原紙に無駄なく多くの扇状ブランクを配置できる。
【００９４】
このように、本願実施形態は、容易にかつ安価に実現できる。
【符号の説明】
【００９５】
１  底部
２  胴部
３  開口
１０  紙製容器
１１  右フラップ
１２  左フラップ
１３  襟部
１４  差込フラップ
１６  飲み口
１７  連結面
２１  罫線
２２  罫線
２６  スリット
２７  切り欠け
２８  胴部接合部
３０  円弧状罫線
３１  第１円弧状罫線（広口対応）
３２  第２円弧状罫線（狭口対応）
３２  第３円弧状罫線（閉塞対応）
３５  仮想回転中心
３６  罫線
３７  罫線
３８  罫線
１００  紙製容器（比較例）
１１１  右フラップ
１１２  左フラップ
１１３  襟部
１１４  差込フラップ
１１６  飲み口
１１７  連結面
１２１  罫線
１２２  罫線
１２６  スリット
１２７  切り欠け
１２８  胴部接合部
１３０  円弧状罫線
【図１】
2020179350.tif 000003
【図２】
2020179350.tif 000004
【図３】
2020179350.tif 000005
【図４】
2020179350.tif 000006
【図５】
2020179350.tif 000007
【図６】
2020179350.tif 000008
【図７】
2020179350.tif 000009
【図８】
2020179350.tif 000010
【図９】
2020179350.tif 000011
【図１０】
2020179350.tif 000012
【図１１】
2020179350.tif 000013
【図１２】
2020179350.tif 000014
【図１３】
2020179350.tif 000015
【国際調査報告】
2020179350.tif 000016
2020179350.tif 000017
2020179350.tif 000018
2020179350.tif 000019
2020179350.tif 000020
2020179350.tif 000021